(57)【要約】【課題】トレーニングを行う際に、各標示部によりトレーニングを行う者に移動方向を知らせる、標示機能を有するトレーニング用コーンを提供する。【解決手段】標示機能を有するトレーニング用コーンは、本体１を備える。本体１は、少なくとも１つの支持面１１と、２つの標示面１２と、方向指示端１３とを有する。本体１の各支持面１１及び各標示面１２は、本体１を取り囲むように外縁に設けられ、上方向から下方向へ広くなって形成されて本体１が錐状を呈する。本体１の各標示面１２は、少なくとも１つの標示部１２１を有する。本体１の各標示面１２の各標示部１２１は、方向指示を有する記号を呈する。本体１の各標示面１２の各標示部１２１の指示方向は、本体１の方向指示端１３を向く。方向指示端１３は、各標示面１２間に設けられる。本体１は方向指示の機能を有する。【選択図】図１
0003226265.tif 000002
【実用新案登録請求の範囲】
【請求項１】
本体を備えた、標示機能を有するトレーニング用コーンであって、
前記本体は、少なくとも１つの支持面と、２つの標示面と、方向指示端とを有し、
前記本体の前記各支持面及び前記各標示面は、前記本体を取り囲むように外縁に設けられ、上方向から下方向へ広くなるように形成され、前記本体が錐状を呈し、
前記本体の前記各標示面は、少なくとも１つの標示部を有し、前記本体の前記各標示面の前記各標示部は、方向指示を有する記号を呈し、前記本体の前記各標示面の前記各標示部の指示方向は、前記本体の前記方向指示端を向き、前記方向指示端は、前記各標示面間に設けられ、前記本体は方向指示の機能を有することを特徴とする標示機能を有するトレーニング用コーン。
【請求項２】
前記各標示部は、開孔、印刷、接着又はプレス成形されることを特徴とする請求項１に記載の標示機能を有するトレーニング用コーン。
【請求項３】
前記各支持面は、少なくとも１つの前記標示部を有し、
前記各標示部は、方向指示を有する記号であり、前記本体の前記各支持面の前記各標示部の指示方向は上向きであることを特徴とする請求項１に記載の標示機能を有するトレーニング用コーン。
【請求項４】
前記本体の上端には、頂面が設けられ、
前記頂面は、標示部を有し、前記標示部は、方向指示を有する記号を呈し、前記標示部の指示方向は、方向指示端を向くことを特徴とする請求項１に記載の標示機能を有するトレーニング用コーン。
【請求項５】
前記頂面は、貫通孔を有し、
前記本体には、収納エリア及び下開口が形成され、前記貫通孔、前記収納エリア及び前記下開口は、互いに連通することを特徴とする請求項４に記載の標示機能を有するトレーニング用コーン。
【請求項６】
前記下開口の外縁には、環状耳が設けられ、前記環状耳は、前記下開口の外縁から外方に延びることを特徴とする請求項５に記載の標示機能を有するトレーニング用コーン。
【請求項７】
前記環状耳は、複数の凹溝を有し、前記各凹溝間には、少なくとも１つの揺動部材が設けられることを特徴とする請求項６に記載の標示機能を有するトレーニング用コーン。
【請求項８】
前記貫通孔には、発光部材が設けられ、
前記発光部材は、前記貫通孔に着脱自在に係合されることを特徴とする請求項５に記載の標示機能を有するトレーニング用コーン。
【請求項９】
前記発光部材の一端には、蓄電ユニットが設けられ、前記発光部材と前記蓄電ユニットとは電気的に接続されることを特徴とする請求項８に記載の標示機能を有するトレーニング用コーン。
【請求項１０】
前記貫通孔の内縁には、係合端が設けられ、前記発光部材と前記係合端との相対位置には、少なくとも１つの係合溝が形成され、前記係合端が前記各係合溝に係合されると、前記貫通孔内に前記発光部材が係合されることを特徴とする請求項８に記載の標示機能を有するトレーニング用コーン。
【考案の詳細な説明】
【技術分野】
【０００１】
本考案は、トレーニングコーンに関するものであり、さらに詳しくは、標示機能を有するトレーニング用コーンに関するものである。
【背景技術】
【０００２】
アイススケート、インラインスケート、サッカーなどのスポーツは、試合中に何度も方向転換する必要があるため、トレーニングではトレーニング用コーンを置いてコースを設定し、トレーニングを行う者は、トレーニング用コーンにより設定されたコースに基づいて前進及び方向転換を行う。市販されているトレーニング用コーンは、形状が三角錐状又は円錐状に大きく分けられ、円錐状のトレーニング用コーンを重ねて収納できる場合、収納空間を小さくすることができる。そのため、従来、収納する際に円錐状トレーニング用コーンを入手しているが、円錐状トレーニング用コーンは方向を示す標示機能を備えていなかったため、トレーニングを行う者は、トレーニングの最中に設定されたコースを認識することが容易でないため、失敗し易かった。そのため、進行方向の標示問題を改善するために、多種類の円錐状のトレーニング用コーンが市販されており、異なる色の組み合わせにより設定されたコースが容易に認識できるようにしていたが、収納する際に色ごとに分類して収納しなければならず、色毎に応じて置く必要があったため、使用及び収納に手間がかかった。従来の市販品には、三角錐状のトレーニング用コーンがあり、それは方向指示端の角度が残りの２つの端部の角度より小さく、方向を容易に識別でき、方向標示の問題を改善することができ、トレーニングを行う者が設定されたコースの方向転換を行う場所に置かれた三角錐の向きにより、トレーニングを行う者はカーブに入る前に方向転換する方向を判断することができた。
【０００３】
しかし、上述したような従来技術の三角錐状のトレーニング用コーンは、方向標示機能を備えていたが、トレーニングを行っている最中は視線が低くなり易く、三角錐が置かれた方向を見ることが容易でないため、カーブに進入する前に、置かれた三角錐の向きを直ちに認識することができず、トレーニングで方向転換をするときに失敗し易かった。特に、トレーニングを行う者にとって、毎日のトレーニング時間は十分でなく、限られた時間内に当日の練習メニューをこなさなければならないが、置かれた向きを認識することが困難である場合、失敗の回数が増え、トレーニング時間が短くなって当日の練習メニューをこなすことができず、遅れた分は次の日に取り戻す必要があった。そのため、上述したようなトレーニング器材の認識問題は、選手のトレーニングに長期間悪影響を与え、選手のトレーニングが遅れてしまう虞があった。
【考案の概要】
【考案が解決しようとする課題】
【０００４】
従って、本考案の課題は、トレーニングを行う際に、トレーニングを行う者に対して移動方向を知らせることが可能な標示機能を有するトレーニング用コーンを提供することにある。
【課題を解決するための手段】
【０００５】
そこで、本考案者は、本考案の前記課題を解決するため、鋭意検討を重ねた結果、錐形の本体の支持面および標示面に、それぞれ進行方向を示す標示部を設けることにより、前記課題を解決できる点に着目し、かかる知見に基いて本考案に想到するに至った。
【０００６】
すなわち、一実施形態によれば、本体を備えた、標示機能を有するトレーニング用コーンであって、
前記本体は、少なくとも１つの支持面と、２つの標示面と、方向指示端とを有し、
前記各支持面及び前記各標示面は、前記本体を取り囲むように外縁に設けられ、上方向から下方向へ広くなるように形成され、前記本体が錐状を呈し、
前記各標示面は、少なくとも１つの標示部を有し、前記本体の前記各標示面の前記各標示部は、方向指示を有する記号を呈し、前記本体の前記各標示面の前記各標示部の指示方向は、前記本体の前記方向指示端を向き、前記方向指示端は、前記各標示面間に設けられ、前記本体は方向指示の機能を有することを特徴とする標示機能を有するトレーニング用コーンが提供される。
【０００７】
かくして、本考案の要旨は、次の（１）〜（１０）に記載の通りのものである。
【０００８】
（１）本体を備えた、標示機能を有するトレーニング用コーンであって、
前記本体は、少なくとも１つの支持面と、２つの標示面と、方向指示端とを有し、
前記本体の前記各支持面及び前記各標示面は、前記本体を取り囲むように外縁に設けられ、上方向から下方向へ広くなるように形成され、前記本体が錐状を呈し、
前記本体の前記各標示面は、少なくとも１つの標示部を有し、前記本体の前記各標示面の前記各標示部は、方向指示を有する記号を呈し、前記本体の前記各標示面の前記各標示部の指示方向は、前記本体の前記方向指示端を向き、前記方向指示端は、前記各標示面間に設けられ、前記本体は方向指示の機能を有することを特徴とする標示機能を有するトレーニング用コーン。
（２）前記各標示部は、開孔、印刷、接着又はプレス成形されることを特徴とする前記（１）に記載の標示機能を有するトレーニング用コーン。
（３）前記各支持面は、少なくとも１つの前記標示部を有し、
前記各標示部は、方向指示を有する記号であり、前記本体の前記各支持面の前記各標示部の指示方向は上向きであることを特徴とする前記（１）に記載の標示機能を有するトレーニング用コーン。
（４）前記本体の上端には、頂面が設けられ、
前記頂面は、標示部を有し、前記標示部は、方向指示を有する記号を呈し、前記標示部の指示方向は、方向指示端を向くことを特徴とする前記（１）に記載の標示機能を有するトレーニング用コーン。
（５）前記頂面は、貫通孔を有し、
前記本体には、収納エリア及び下開口が形成され、前記貫通孔、前記収納エリア及び前記下開口は、互いに連通することを特徴とする前記（４）に記載の標示機能を有するトレーニング用コーン。
（６）前記下開口の外縁には、環状耳が設けられ、前記環状耳は、前記下開口の外縁から外方に延びることを特徴とする前記（５）に記載の標示機能を有するトレーニング用コーン。
（７）前記環状耳は、複数の凹溝を有し、前記各凹溝間には、少なくとも１つの揺動部材が設けられることを特徴とする前記（６）に記載の標示機能を有するトレーニング用コーン。
（８）前記貫通孔には、発光部材が設けられ、
前記発光部材は、前記貫通孔に着脱自在に係合されることを特徴とする前記（５）に記載の標示機能を有するトレーニング用コーン。
（９）前記発光部材の一端には、蓄電ユニットが設けられ、前記発光部材と前記蓄電ユニットとは電気的に接続されることを特徴とする前記（８）に記載の標示機能を有するトレーニング用コーン。
（１０）前記貫通孔の内縁には、係合端が設けられ、前記発光部材と前記係合端との相対位置には、少なくとも１つの係合溝が形成され、前記係合端が前記各係合溝に係合されると、前記貫通孔内に前記発光部材が係合されることを特徴とする前記（８）に記載の標示機能を有するトレーニング用コーン。
【図面の簡単な説明】
【０００９】
【図１】本考案の一実施形態に係る標示機能を有するトレーニング用コーンを示す斜視図である。
【図２】本考案の一実施形態に係る標示機能を有するトレーニング用コーンを示す断面図である。
【図３】本考案の一実施形態に係る標示機能を有するトレーニング用コーンの使用状態の説明図である。
【考案を実施するための形態】
【００１０】
以下、本考案について図面により、具体的に説明する。もっとも本考案はかかる図面によって限定されるものではない。
図１〜図３を参照する。図１〜図３に示すように、本考案の一実施形態に係る標示機能を有するトレーニング用コーンは、本体１を備える。本体１は、少なくとも１つの支持面１１と、２つの標示面１２と、方向指示端１３と、を有する。
【００１１】
本体１は、各支持面１１と、各標示面１２と、方向指示端１３と、を有する。本体１の各支持面１１及び各標示面１２は、本体１を取り囲むように外縁に設けられ、上方向から下方向へ広くなるように形成されて本体１が錐状を呈する。本体１の各標示面１２は、少なくとも１つの標示部１２１を有する。本体１の各標示面１２の各標示部１２１は、方向指示を有する記号を呈する。本体１の各標示面１２の各標示部１２１の指示方向は、本体１の方向指示端１３を向くように設定される。本体１の方向指示端１３は、本体１の各標示面１２間に設けられ、本体１は方向指示の機能を有する。
【００１２】
上述した構造について以下詳細に説明する。
【００１３】
上述した本体１の各支持面１１は、少なくとも１つの標示部１１１を有する。本体１の各支持面１１の各標示部１１１は、方向指示を表す記号である。本体１の各支持面１１の各標示部１１１の方向指示は上向きであり、トレーニングを行う者は、本体１の各支持面１１の各標示部１１１を後方から見たときに、本体１が置かれた向きを容易に知ることができ、本体１が置かれた方向により方向転換する方向を判断することができる。
【００１４】
前述した本体１の上端には、頂面１４が設けられる。頂面１４は、標示部１４１を有する。本体１の頂面１４の標示部１４１は、方向指示を有する記号を呈する。本体１の頂面１４の標示部１４１の指示方向は、本体１の方向指示端１３を向き、トレーニングを行う者が本体１の頂面１４の標示部１４１を上方から見ると、本体１が置かれた向きをはっきりと知ることができ、本体１が置かれた向きによりカーブの向きを判断することができる。
【００１５】
前述した各標示部１１１，１２１，１４１が開孔、印刷、接着又はプレス成形される場合、各標示部１１１，１２１，１４１により容易に認識することができ、各標示部１１１，１２１，１４１に印刷が採用されると、その印刷する色には明るくて視認性の高い色が選択され、各標示部１１１，１２１，１４１が接着方式を採用する場合、明るい面のシールを接着させ、各標示部１１１，１２１，１４１を容易に認識することができる。
【００１６】
本体１の頂面１４は、貫通孔１４２を有する。本体１には、収納エリア１５及び下開口１６が形成される。本体１の頂面１４の貫通孔１４２、本体１の収納エリア１５及び本体１の下開口１６は、互いに連通し、本体１を重ねて収納することができる。
【００１７】
本体１の下開口１６の外縁には、環状耳１７が設けられる。本体１の環状耳１７は、本体１の下開口１６の外縁から外方に延びる。
【００１８】
本体１の環状耳１７は、複数の凹溝１７１を有する。本体１の環状耳１７の各凹溝１７１間には、少なくとも１つの揺動部材１７２が設けられ、本体１を重ねて収納する際、本体１の環状耳１７の各揺動部材１７２により積層状態の各本体１が分離される。
【００１９】
ここで、本体１の頂面１４の貫通孔１４２には、発光部材２がさらに設けられてもよい。発光部材２は、本体１の頂面１４の貫通孔１４２に着脱自在に係合され、本体１に発光部材２が取り付けられると視認性が高まる。
【００２０】
発光部材２の一端には、蓄電ユニット２１が設けられている。発光部材２と発光部材２の蓄電ユニット２１とは電気的に接続される。発光部材２の蓄電ユニット２１は、交換式又は充電式の電池である。
【００２１】
本体１の頂面１４の貫通孔１４２の内縁には、係合端１４２１が設けられる。発光部材２と係合端１４２１との相対位置には、少なくとも１つの係合溝２２が形成され、係合端１４２１が発光部材２の各係合溝２２に係合されると、本体１の頂面１４の貫通孔１４２内に発光部材２が係合され、本体１と発光部材２とを速やかに分解するか組み立てることができる。
【００２２】
上述した内容から分かるように、本考案の標示機能を有するトレーニング用コーンは、実際に使用する場合、本体１を含む。本体１は、少なくとも１つの支持面１１と、２つの標示面１２と、方向指示端１３と、を有する。本体１、各支持面１１、各標示面１２及び方向指示端１３の各構造については既に詳しく説明したため、ここでは詳しく述べない。
【００２３】
まず、本体１の各標示面１２は、少なくとも１つの標示部１２１を有する。本体１の各標示面１２の各標示部１２１は、方向指示を有する記号を呈する。本体１の各標示面１２の各標示部１２１の指示方向は、本体１の方向指示端１３を向き、トレーニングを行う者が本体１の各標示面１２の各標示部１２１を側方から見ると、本体１を置く向きがはっきりと分かり、本体１が置かれた向きでカーブの方向を判断することができる。本体１の各支持面１１は、少なくとも１つの標示部１１１を有する。本体１の各支持面１１の各標示部１１１は、方向指示を有する記号を呈する。本体１の各支持面１１の各標示部１１１の指示方向が上向きで、トレーニングを行う者が後方から本体１の各支持面１１の各標示部１１１から本体１を置く向きを明らかに知ることができるとともに、本体１を置く向きによりカーブの方向を判断することができる。本体１の上端には、頂面１４が設けられる。頂面１４には、標示部１４１が設けられる。本体１の頂面１４の標示部１４１は、方向を示すマークを有する記号が設けられる。本体１の頂面１４の標示部１４１の指示方向は、本体１の方向指示端１３を向き、トレーニングを行う者が上方から本体１の頂面１４の標示部１４１を見たときに、本体１が置かれた向きをはっきりと知ることができ、本体１が置かれた向きによりカーブの向きを判断することができる。各標示部１１１，１２１，１４１は、開孔、印刷、接着又はプレス成形し、各標示部１１１，１２１，１４１をより容易に認識できるようにし、各標示部１１１，１２１，１４１に印刷が採用される場合、その印刷色に明るくて識別し易い色を選択し、各標示部１１１，１２１，１４１に接着方式を採用する場合、明るい面のシールを接着し、各標示部１１１，１２１，１４１を容易に認識することができる。
【００２４】
本体１の頂面１４は、貫通孔１４２を有する。本体１には、収納エリア１５及び下開口１６が設けられる。本体１の頂面１４の貫通孔１４２と、本体１の収納エリア１５と、本体１の下開口１６とを連通し、本体１を重ねて収納することができる。本体１の下開口１６の外縁には、環状耳１７が設けられる。本体１の環状耳１７は、本体１の下開口１６の外縁により外方へ延びる。本体１の環状耳１７は、複数の凹溝１７１を有する。本体１の環状耳１７の各凹溝１７１間には、少なくとも１つの揺動部材１７２が設けられ、本体１を重ねて収納する際、本体１の環状耳１７の各揺動部材１７２により積層状態の各本体１が分離される。
【００２５】
本体１の頂面１４の貫通孔１４２には、発光部材２がさらに設けられてもよい。発光部材２は、本体１の頂面１４の貫通孔１４２に着脱自在に係合されるとともに、本体１に発光部材２が取り付けられて視認性を高めてもよい。発光部材２の一端には、蓄電ユニット２１が設けられる。発光部材２と発光部材２の蓄電ユニット２１とは電気的に接続される。発光部材２の蓄電ユニット２１は、交換式又は充電式の電池である。本体１の頂面１４の貫通孔１４２の内縁には、係合端１４２１が設けられる。発光部材２と係合端１４２１との相対位置には、少なくとも１つの係合溝２２が形成され、係合端１４２１が発光部材２の各係合溝２２に係合されると、本体１の頂面１４の貫通孔１４２内に発光部材２が係合され、本体１と発光部材２とを速やかに分解又は組み立てることができる。本体１を重ねて収納するときは、発光部材２を外して発光部材２を充電しておくと、再び使用する際に発光部材２が使用できなくなることを防ぐことができる。
【００２６】
最後に、本考案の標示機能を有するトレーニング用コーンは、本体１を備える。本体１は、各支持面１１、各標示面１２及び方向指示端１３を有する。本体１の各支持面１１及び各標示面１２は、本体１を取り囲むように外縁に設けられ、上から下方向へ広くなって形成されて本体１が錐状を呈する。本体１の各標示面１２は、標示部１２１をそれぞれ有する。本体１の各標示面１２の各標示部１２１は、方向指示を有する記号を呈する。本体１の各標示面１２の各標示部１２１の指示方向は、本体１の方向指示端１３を向く。本体１の方向指示端１３は、本体１の各標示面１２間に設けられ、本体１は方向指示の機能を有する。本体１をコースのカーブに置き、トレーニングを行う者がカーブに入る前に本体１の各標示面１２の各標示部１２１を見て、カーブの向きを速やか且つ明確に判断することができるため、トレーニングを行う際、方向転換を間違えて時間が無駄となることを防ぐ。また、本考案の標示機能を有するトレーニング用コーンは、トレーニングを行う過程で、各標示部１２１により移動方向を示すことができる。
【符号の説明】
【００２７】
１  本体
２  発光部材
１１  支持面
１２  標示面
１３  方向指示端
１４  頂面
１５  収納エリア
１６  下開口
１７  環状耳
２１  蓄電ユニット
２２  係合溝
１１１  標示部
１２１  標示部
１４１  標示部
１４２  貫通孔
１７１  凹溝
１７２  揺動部材
１４２１  係合端
【図１】
0003226265.tif 000003
【図２】
0003226265.tif 000004
【図３】
0003226265.tif 000005